(57)【要約】      （修正有）【課題】防水性の高いパレットコンベアを提供する。【解決手段】フォークリフトの爪を挿通できるフォーク挿入部１２を備えた基台１１と、該基台１１の上に配置された複数の側板２１とを備え、複数の側板２１によって荷物収納室が構成されるパレットコンテナである。側板２１は、基台１１の外周に沿って配置されると共に、基台１１の上面に配置したものである。側板２１の下端には水除け部３１が設けられている。水除け部３１は、側板２１の下端面よりもさらに下方に延設されたものであり、且つ、基台１１の外側面に沿って基台の上面よりも下方に延設されたものであり、この水除け部３１によって、側板２１と基台１１との隙間から水が荷物収納室内に侵入することが防止される。【選択図】図１
0003171793.tif 000002
【実用新案登録請求の範囲】
【請求項１】
フォークリフトの爪を挿通できるフォーク挿入部を備えた基台と、前記基台の上に配置された複数の側板とを備え、複数の側板によって荷物収納室が構成されるパレットコンテナにおいて、
前記側板は、前記基台の外周に沿って、前記基台の上面に配置されたものであり、
前記側板の下端には水除け部が設けられ、
前記水除け部は、前記側板の下端よりもさらに下方に延設されたものであり、且つ、前記基台の外周に沿って前記基台の上面よりも下方に延設されたものであり、
前記水除け部によって、前記側板と前記基台との隙間から水が前記荷物収納室内に侵入することが防止されることを特徴とする防水パレットコンテナ。
【請求項２】
前記複数の側板の側辺には、互いに嵌まり合う接合部が設けられ、
これらの接合部のうち一方の接合部は上下に伸びる溝状の凹部をなし、これらの接合部のうち他方の接合部は前記溝状の凹部に嵌まり込むものであり、これらの接合部間から侵入する水が前記溝状の凹部から下方に排出されるものであることを特徴とする請求項１記載の防水パレットコンテナ。
【請求項３】
前記基台は平面視四角形をなしており、四角形の頂点にはコーナー部材が前記基台の上面よりも上方に延設され、
前記側板は、基台の前後と左右とのいずれか一方に配置される第１側板と、基台の前後と左右とのいずれか他方に配置される第２側板とを備え、
前記コーナー部材によって前記第１側板が回動可能に支持されることによって、前記第１側板は前記基台の上面に立った起立状態と倒された状態とに起伏するものであり、
第２側板は、起立状態の前記第１側板の間に挿入されて起立状態となるものであり、
前記コーナー部材と前記基台との間に隙間を設けることによって、前記水除け部と前記基台との干渉が防止されて、前記第１側板が起伏可能であると共に、前記の側板の起立状態で前記水除け部が前記隙間に位置するものであることを特徴とする請求項２記載の防水パレットコンテナ。
【請求項４】
前記コーナー部材と前記基台との間に下方に貫通する水抜き部が設けられ、前記水抜き部の上方に前記溝状の凹部が位置することによって、前記溝状の凹部から前記水抜き部を経て下方に水が排出されることを特徴とする請求項３記載の防水パレットコンテナ。
【考案の詳細な説明】
【技術分野】
【０００１】
本考案は、防水性の高いパレットコンテナに関するものである。
【背景技術】
【０００２】
従来より、特許文献１や２に示すような、パレット上に立設された側板を備えたパレットコンテナは、荷物の保護に有利であるとして、広く使用されている。特許文献２の発明は、フォークリフトの爪を挿通できるフォーク挿入部を備えた基台と、前記基台の上に配置された複数の側板とを備えたもので、これらの側板を組み立てることによって荷物収納室が構成されるパレットコンテナに関するものである。このパレットコンベアの側板は、前記基台の外周に沿って、前記基台の上面に配置したものであり、これらの側板により囲まれる収容空間の底部付近に、収容空間に滞留する液体を外部に導出するための水抜き孔を形成するようにしたものである。この水抜き孔を設けることによって、コンテナを組み立てた状態で丸洗いすること等が可能となり、この点においてもコンテナのメンテナンスが容易かつ適切に行えるようになる。
【０００３】
ところが、このコンテナでは、側板と側板との間や、側板と基台との間の隙間から、荷物収納室内に流入する雨水などの侵入を防止するとの観点からは、特筆すべき改良が施されていない。例えば、特許文献２のパレットコンテナを雨天下で用いると、側板の外面を伝った雨水が、側板の下端と基台の上面との間の隙間から、荷物収納室内に侵入するおそれがある。また、特許文献２のパレットコンテナの側板は、板状のプレートと、このプレートの周囲に配置された枠体とを備えるが、プレートと枠体との間から雨水が侵入して、荷物収納室内に入るおそれがある。
【先行技術文献】
【特許文献】
【０００４】
【特許文献１】特開２００６−３４７６１７号公報
【特許文献２】特開２００７−３２０６１号公報
【考案の概要】
【考案が解決しようとする課題】
【０００５】
本考案は、防水パレットコンテナにおいて、荷物収納室内へ雨水などが侵入する恐れを低減することを目的とする。
【課題を解決するための手段】
【０００６】
本考案は、フォークリフトの爪を挿通できるフォーク挿入部を備えた基台と、前記基台の上に配置された複数の側板とを備え、複数の側板によって荷物収納室が構成されるパレットコンテナにおいて、前記側板は、前記基台の外周に沿って、前記基台の上面に配置されたものであり、前記側板の下端には水除け部が設けられ、前記水除け部は、前記側板の下端よりもさらに下方に延設されたものであり、且つ、前記基台の外周に沿って前記基台の上面よりも下方に延設されたものであり、前記水除け部によって、前記側板と前記基台との隙間から水が前記荷物収納室内に侵入することが防止されることを特徴とする防水パレットコンテナを提供する。
本考案は、前記複数の側板の側辺には、互いに嵌まり合う接合部が設けられ、これらの接合部のうち一方の接合部は上下に伸びる溝状の凹部をなし、これらの接合部のうち他方の接合部は前記溝状の凹部に嵌まり込むものであり、これらの接合部間から侵入する水が前記溝状の凹部から下方に排出されるものであることを特徴とするものとして実施することができる。
【０００７】
また本考案は、前記基台が平面視四角形をなしており、四角形の頂点にはコーナー部材が前記基台の上面よりも上方に延設され、前記側板は、基台の前後と左右とのいずれか一方に配置される第１側板と、基台の前後と左右とのいずれか他方に配置される第２側板とを備え、前記コーナー部材によって前記第１側板が回動可能に支持されることによって、前記第１側板は前記基台の上面に立った起立状態と倒された状態とに起伏するものであり、第２側板は、起立状態の前記第１側板の間に挿入されて起立状態となるものであり、前記コーナー部材と前記基台との間に隙間を設けることによって、前記水除け部と前記基台との干渉が防止されて、前記第１側板が起伏可能であると共に、前記の側板の起立状態で前記水除け部が前記隙間に位置するものであることを特徴とするものとして実施することができる。
【０００８】
また本考案は、前記コーナー部材と前記基台との間に下方に貫通する水抜き部が設けられ、前記水抜き部の上方に前記溝状の凹部が位置することによって、前記溝状の凹部から前記水抜き部を経て下方に水が排出されることを特徴とするものとして実施することができる。
【考案の効果】
【０００９】
本考案は、水除け部を側板の下方に設けることによって、前記側板と前記基台との隙間から水が前記側板の荷物収納室内に侵入することを防止することができた防水パレットコンテナを提供することができたものである。
【００１０】
また、側板の側辺には、互いに嵌まり合う接合部が設けられ、これらの接合部のうち一方の接合部は上下に伸びる溝状の凹部をなし、これらの接合部のうち他方の接合部は前記溝状の凹部に嵌まり込むものであり、これらの接合部間から侵入する水が前記溝状の凹部から下方に排出されることにより、側板間の接合部分からの水の侵入を有効に防止することができたものである。
【００１１】
また本考案は、基台の角部に設けられるコーナー部材と前記基台との間に隙間を設けることによって、前記水除け部と前記基台との干渉が防止されて、前記第１側板が起伏可能であると共に、前記の側板の起立状態で前記水除け部が前記隙間に位置するものであることを特徴とするものとして実施することによって、側板の組立と防水性とを両立することができたものである。
【００１２】
また本考案は、前記コーナー部材と前記基台との間に下方に貫通する水抜き部が設けられ、前記水抜き部の上方に前記溝状の凹部が位置することによって、前記溝状の凹部から前記水抜き部を経て下方に水が排出され、より確実な防水効果を上げることができたものである。
【図面の簡単な説明】
【００１３】
【図１】（Ａ）は本願考案に係る防水パレットコンテナの組立過程の斜視図であり、（Ｂ）は同防水パレットコンテナの折り畳み状態の斜視図である。
【図２】図１の各部の組立完成状態における断面図を示すもので、（Ａ）は図１のＡ−Ａ線の位置における断面図、（Ｂ）は図１のＢ−Ｂ線の位置における断面図、（Ｃ）は図１のＣ−Ｃ線の位置における断面図である。
【図３】同防水パレットコンテナの要部斜視図である。
【考案を実施するための形態】
【００１４】
（全体構造）
以下、図面に基づき本考案の実施の形態に係るパレットコンテナ１０を説明する。このコンテナは、平面視四角形の基台１１の上部に４枚の側板２１を配置して、荷物収納室２５を形成したパレットコンテナ１０である。側板２１の上には、必要に応じて、天板２４を配置することもできる。このパレットコンテナ１０は、側板２１を着脱組立可能としたものであり、側板２１の固定のために、基台１１の４角にコーナー部材１４が設けられている。側板２１の組立の手順は、まず、左右一対の第１側板２２を基台１１の左右辺に取り付け、前後一対の第２側板２３を基台１１の前後辺に取り付ける。詳しくは、第１側板２２の前後両端辺の下端寄りを、前角のコーナー部材１４と後角のコーナー部材１４との間に起伏回動可能に支持させる。この起立状態の左の第１側板２２と右の第１側板２２との間に、前後の第２側板２３を差し込むようにしたものである。
【００１５】
なお、この例では、第１側板２２はコーナー部材１４を介して基台１１に回動可能となり、基台１１からは外れないようになっているが、第１側板２２をコーナー部材１４に対して着脱可能としてもよい。また、本考案において、前後左右は相対的な位置関係を示すに止まるもので、前後左右を逆にして実施することもできる。
【００１６】
（基台１１の説明）
以下、各部の詳細を説明する。まず基台１１について説明すると、基台１１は従来周知の種々のパレットを用いることができる。この例では、フォークリフトのフォーク（図示せず）を挿入できる挿入部１２が配置されたパレットであり、その材質は、合成樹脂、木、紙、金属など種々のものを用いることができる。パレット上面１３は、プレートを配置してもよいが、すのこ状のように一部が上下に貫通しているものであってもよい。
【００１７】
（コーナー部材１４の説明）
基台１１の４角には、コーナー部材１４が設けられている。このコーナー部材１４は、図２（Ａ）及び図３に示すように、前後の第１面１５と左右の第２面１６との２面を有する平面視略Ｌ字状をなす金属製などの剛性の高い板材を、基台１１の角に、パレット上面１３よりも上方に突出するように取り付けたものである。
【００１８】
取り付けに際して重要なことは、図２（Ａ）に示すように、第１面１５及び第２面１６と、基台１１の側面の上部との間に隙間２６を設けておくことである。そのために、この例では、薄板Ｌ字状のスペーサ２０を第１面１５と基台１１との間及び第２面１６と基台１１との間に配置して、コーナー部材１４を取り付けているが、スペーサ２０を基台１１側か或いはコーナー部材１４側に一体に形成しておいてもよい。コーナー部材１４の取付はネジ止めなど適宜の固定手段を採用できる。
【００１９】
次に望ましいことは、下方への水抜き部２７を設けておくことである。この例では、水抜き部２７をコーナー部材１４の第１面１５と第２面１６との交点と基台１１の角との間に設けている。詳しくは、基台１１の角にはアールが形成されているため、コーナー部材１４の角部において基台１１の間に上下に貫通する空間が空き、この空間が水抜き部２７となる。また、図示は省略するが、第１面１５側のスペーサと第２面１６側のスペーサとを別体として、両スペーサを間隔を隔てて配置することで、この間隔を上下に貫通する水抜き部とすることもできる。さらにまた、上記の２種の水抜き部の構造を併用することもできる。
【００２０】
コーナー部材１４の第１面１５には、図３に示すように、第１側板２２を支持するためのガイド１７が貫通して形成されている。このガイド１７は、縦方向に伸びる縦ガイド部１８と、その下端から横方向に伸びる横ガイド部１９とからなる略Ｌ字状をなしている。横ガイド部１９は、縦ガイド部１８の下端から第１面１５と第２面１６との交点に向けて伸びている。
【００２１】
（側板２１の説明）
側板２１は、第１側板２２と第２側板２３との２種類があるが、まず両者の共通部分から説明する。側板２１は側面視四角形をなしており、基台１１の外周に沿って配置され、この例では、側板２１の下端がパレット上面１３の上に載置されている。この側板２１は合成樹脂、金属、紙、木材等々、種々の材質で形成することができるが、いずれの場合にも耐水性の高いものであることが望ましい。この例では、側板２１は、合成樹脂製の板状のプレート２８と、プレート２８の周囲に配置された金属製の枠体２９とを備える。枠体２９は断面コ字状をなしており、コ字状部分にプレート２８の端辺が挿入され、ネジやリベットや接着剤などの適宜固定手段で固定されている。
【００２２】
（水除け部３１の説明）
これらの枠体２９のうち、側板２１の下端に配置される下枠体３０には、図１及び図２（Ｂ）に示すように、水除け部３１が下方に延設されている。水除け部３１はコ字状部分３２と別体に形成して、適宜固定手段で固定してもよいが、この例では押し出し成形で両者が一体に形成されている。より詳しくは、コ字状部分３２は、パレット上面１３上に載置される下端部と、この下端部の内側から上方に伸ばされた内面部と、この下端部の外側から上方に伸ばされた外面部とから構成され、プレート２８の下端が内面部と外面部との間に挟まれた状態で固定されている。水除け部３１は、下端部よりも下方に伸ばされたもので、この例では、コ字状部分３２の最も外側から下方に延設されているが、外面部よりも内側から下方に伸ばされたものであってもよい。この水除け部３１は、側板２１がパレット上面１３上に立てられた際に、パレット上面１３よりも下方に伸びるように、基台１１の外側面に沿って配置される。これによって、雨水が基台１１と側板２１との間から荷物収納室２５内に侵入することを防止する。なお、コ字状部分３２の下端部は、パレット上面１３上に載置されることが荷重を受ける点では望ましい。なお、コ字状部分３２とパレット上面１３との間に隙間が空くようにして実施することもできるが、その場合にも、水除け部３１はパレット上面１３よりも下方に伸びるようにしておく必要がある。
【００２３】
（第１側板２２と第２側板２３の説明）
側板２１のうち、左右の第１側板２２と前後の第２側板２３とは略直角に組み合わされる。そのために第１側板２２の側辺には第１接合部３３が設けられ、第２側板２３の側辺には第２接合部３４が設けられ、第１接合部３３と第２接合部３４とが嵌まり合うように構成されている。この例では、第１接合部３３は断面コ字状をなし、溝状の受け部分（凹部）を形成する。第２接合部３４は、第１接合部３３の受け部分に挿入されるもので、断面矩形の角筒状をなしている。
【００２４】
（第１側板２２の取付）
第１側板２２はコーナー部材１４に対して、回動可能に組み付けられている。そのために、第１側板２２の前後の側端の下端寄りから、ピン３５を突出形成する（この例では、第１接合部３３の下端寄りにピン３５を突設している）。このピン３５を、コーナー部材１４に設けたガイド１７に摺動可能且つ回動可能に挿入する。ここで、基台１１の前後の角に設けたコーナー部材１４の第１面１５同士の間隔は、第１側板２２の前後のピン３５同士の先端間の間隔よりも小さいため、ガイド１７にピン３５を挿入した状態で、コーナー部材１４を基台１１に固定する。これにより、第１側板２２はコーナー部材１４を介して、基台１１に取り付けられた状態を維持する。また、基台１１、コーナー部材１４、第１側板２２を配置した後に、ピン３５を取り付けるようにしてもよく、或いは、ピン３５を脱着可能に取り付けるようにしてもよい。
【００２５】
第１側板２２が起立状態にあるときは、ピン３５はガイド１７の横ガイド部１９の先端に位置しており、前述の水除け部３１は基台１１の下方に伸びた状態となっている。第１側板２２を倒す時には、ピン３５がガイド１７内で回動する。左右いずれか一方の第１側板２２を倒して、パレット上面１３の上に載置する。そして、他方の第１側板２２を回動させて倒して、一方の第１側板２２の上に重ねるが、重ねた状態では、上方の第１側板２２のピン３５はガイド１７の縦ガイド部１８に位置している。
【００２６】
（収納と組立）
収納状態では、第２側板２３は、重ねられた状態の２枚の第１側板２２の上に、重ねられている。そして、その上に、天板２４が重ねられ、コンパクトな状態で収納されている。
【００２７】
組立に際しては、第２側板２３及び天板２４を取り除き、左右の第１側板２２を回動させて起立状態にする。次に左右の第１側板２２の間に、第２側板２３を挿入する。その際、第１接合部３３に第２接合部３４が嵌まり合う。これによって、４枚の側板２１が矩形に組み立てられ、倒れることはない。さらに、天板２４が４枚の側板２１上に載置され、天板２４に設けられているベルト３６を、側板２１に設けられているベルト通し３７に通して固定することによって、天板２４の取付が完了する。
【００２８】
組立状態で水除け部３１は基台１１より下方に伸びた状態に配置されるため、雨水の侵入が防止される。コーナー部材１４の部分にあっては、前述のスペーサ２０によって隙間２６が設けられているため、水除け部３１はコーナー部材１４と基台１１との間に無理なく配置される。また、第１側板２２を起伏回動させる際にも、水除け部３１とコーナー部材１４との干渉が防止される。
【００２９】
側板２１同士の間については、溝状凹部の第１接合部３３に第２接合部３４が嵌まり込むため、この部分での水密性も向上する。水除け部３１は第１接合部３３と第２接合部３４との部分には設けられていないが、その下方には水抜き部２７があるため、溝状凹部の第１接合部３３から下方に伝った水は水抜き部２７から排出されることになる。言うなれば、第１接合部３３から水抜き部２７が樋として機能し、下方に水を逃がすことで、荷物収納室２５内への水の侵入が防止されるものである。
【符号の説明】
【００３０】
１０  パレットコンテナ
１１  基台
１３  パレット上面
１４  コーナー部材
１７  ガイド
２０  スペーサ
２１  側板
２２  第１側板
２３  第２側板
２４  天板
２５  荷物収納室
２６  隙間
２７  水抜き部
２８  プレート
２９  枠体
３０  下枠体
３１  水除け部
【図１】
0003171793.tif 000003
【図２】
0003171793.tif 000004
【図３】
0003171793.tif 000005